(57)【要約】【課題】ラマン増幅で光増幅中継を行なう際に、光ファイバに切断／破断障害が発生した場合でも、高品質な監視制御を行なうことができるようにする。【解決手段】監視制御コマンドに対し、下り回線用に第１応答用信号を生成するラマン励起光生成・応答信号重畳部（４１）と、下り回線を通じた光信号が入力されていない場合における上記監視制御コマンドに対する第２応答用信号を生成する応答信号生成部（４２）と、監視制御コマンドに対する、第１端局側の下り回線を通じた応答信号として、第２端局側の下り回線を通じた光信号が入力されている場合には上記第１応答用信号を、第２端局側の下り回線を通じた光信号が入力されていない場合には上記第２応答用信号を、それぞれ用いるように切り替えるコマンド応答用スイッチ（４３）とをそなえるように構成する。【選択図】        図１
2004228761.tif 000002
【特許請求の範囲】
【請求項１】
伝送路を伝搬する光信号をラマン増幅するための中継装置であって、
該第１端局からの上り回線を通じた光信号に含まれる監視制御コマンドに対する応答信号を前記ラマン増幅のためのラマン励起光に変調して、前記変調されたラマン励起光を該第２端局側の下り回線の伝送路ファイバに供給することにより、前記応答信号を該第２端局側の下り回線を通じた光信号に重畳して、該下り回線用に第１応答用信号を生成するラマン励起光生成・応答信号重畳部と、
該第２端局側の下り回線を通じた光信号が入力されていない場合における上記監視制御コマンドに対する第２応答用信号を生成する応答信号生成部と、
をそなえて構成されたことを特徴とする、中継装置。
【請求項２】
上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、
該コマンド応答用スイッチが、該第２端局側の下り回線を通じた光信号が入力されている場合には、該下り回線用ラマン励起光を該第２端局側の下り回線の伝送路ファイバに供給するとともに、該第２端局側の下り回線を通じた光信号が入力されていない場合には、該下り回線用ラマン励起光を該応答信号生成部に出力するように構成されるとともに、
該応答信号生成部が、該コマンド応答用スイッチからの該下り回線用ラマン励起光を受けて、該第２応答用信号として自然放出光を出力するドープファイバにより構成され、
かつ、該ドープファイバで出力された該自然放出光を該第１端局側の下り回線を通じて該第１端局へ送出するように構成されたことを特徴とする、請求項１記載の中継装置。
【請求項３】
該ラマン励起光生成・応答信号重畳部が、前記変調されたラマン励起光を該上り回線の伝送路ファイバに供給することにより、前記応答信号を該第１端局からの上り回線を通じた光信号にも重畳して、該上り回線用に該第１応答用信号を生成するとともに、
該応答信号生成部が、上り回線からの該第１応答用信号に相当する信号の一部を該第２応答用信号として抽出する光信号抽出カプラにより構成され、
かつ、上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、
該コマンド応答用スイッチが、該光信号抽出カプラで抽出された第２応答用信号について、該第２端局側の下り回線を通じた光信号が入力されている場合には終端するとともに、該第２端局側の下り回線を通じた光信号が入力されていない場合には該第１端局側の下り回線を通じて折り返して該第１端局へ送出するように構成されたことを特徴とする、請求項１記載の中継装置。
【請求項４】
伝送路を伝搬する光信号をラマン増幅するための中継装置において、
該光信号を増幅するための励起光を信号で変調し該光信号に該信号を重畳し該伝送路に供給する手段と、
該伝送路に該信号が重畳された光を発生し該伝送路に供給する手段とを設けたことを
特徴とする、中継装置。
【請求項５】
第１端局および第２端局間を伝送路ファイバを通じて接続する一方、該伝送路ファイバを伝搬する光信号を一つまたは複数のラマン増幅中継装置でラマン増幅して中継するラマン増幅中継システムであって、
該第１端局および第２端局がそれぞれ、
上記一つまたは複数のラマン増幅中継装置におけるいずれかの中継装置に対する監視制御コマンドを該ラマン増幅中継装置の識別情報とともに送信する監視制御コマンド送信部と、
上記監視制御コマンドに対する応答を、上記一つまたは複数のラマン増幅中継装置から受けて該監視制御を行なう監視制御実行部とをそなえるとともに、
該一つまたは複数のラマン増幅中継装置が、
該第１端局又は第２端局の監視制御コマンド送信部からの光信号に含まれる監視制御コマンドに対する応答信号を前記ラマン増幅のためのラマン励起光に変調して、前記変調されたラマン励起光を該第１端局側および第２端局側における双方向の回線の伝送路ファイバに供給することにより、前記応答信号を上記双方向の回線を通じた光信号に重畳して、第１応答用信号を生成するラマン励起光生成・応答信号重畳部と、
該第２端局側の下り回線を通じた光信号が入力されていない場合における上記監視制御コマンドに対する該第１端局宛ての第２応答用信号を生成する第１端局宛応答信号生成部と、
上記監視制御コマンドに対する、該第１端局側の下り回線を通じた第１端局宛応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替える第１端局宛コマンド応答用スイッチと、
該第１端局側の上り回線を通じた光信号が入力されていない場合における上記監視制御コマンドに対する該第２端局宛ての第３応答用信号を生成する第２端局宛応答信号生成部と、
上記監視制御コマンドに対する、該第２端局側の上り回線を通じた第２端局宛応答信号として、該第１端局側の上り回線を通じた光信号が入力されている場合には上記第１応答用信号を、該第１端局側の上り回線を通じた光信号が入力されていない場合には上記第３応答用信号を、それぞれ用いるように切り替える第２端局宛コマンド応答用スイッチと、
をそなえて構成されたことを特徴とする、ラマン増幅中継システム。
【発明の詳細な説明】
【０００１】
【発明の属する技術分野】
本発明は、中継装置およびラマン増幅中継システムに関するものである。
【０００２】
【従来の技術】
国際通信の需要は、ビジネスのグローバル化、インターネットの普及などにより、急激に拡大している。このような現状に対し、海底光伝送システムは、衛星通信と並んで重要なものであり、経済的で大容量のシステムの早期実現が急務となっている。
【０００３】
ここで、このような海底光伝送システムは、海底に光ファイバケーブルを敷設するとともに、光ファイバケーブルの途中に中継装置を設けて、光増幅して光伝送を行なう。又、海底光伝送システムは、海中部分が故障した場合、その修理に多額の費用と時間を要するため、最も厳しい信頼性が要求されている。従って、万が一、障害が発生した場合には、的確に障害箇所を把握できるような障害検出機能を具備しておく必要がある。
【０００４】
障害検出制御としては、陸上に設けられた端局から、まず、中継装置の動作状態を監視制御するための監視制御コマンド信号を各中継装置に送信する。そして、監視制御コマンドを受信した中継装置では、自己の動作状態をモニタして、その結果である応答情報を端局に返信する。このようにして、端局と中継装置とで通信を行なうことで、海底の光伝送の状態を監視している。
【０００５】
ここで、従来の中継装置では、ＥＤＦＡ（エルビウムドープ光ファイバ・アンプ）を用いて光増幅を行なっていた。即ち、このＥＤＦＡ中継装置では、光主信号に応答信号を重畳して送信するようになっているが、この場合には、ＥＤＦＡを励起する励起レーザダイオードの出力を応答情報で変調して、光主信号に変調を施すことで、光主信号に応答信号を重畳していた。
【０００６】
また、光ファイバケーブルに切断／破断障害が発生し、光主信号自体がなくなった場合でも、ＥＤＦＡ中継器では、増幅媒体であるＥＤＦＡ自体が発するＡＳＥ（Ａｍｐｌｉｆｉｅｄ  Ｓｐｏｎｔａｎｅｏｕｓ  Ｅｍｉｓｓｉｏｎ）光（自然放出光）に変調をかけることで、応答信号を送信することができるので、モニタ制御が不可能になるといったことはなかった。
【０００７】
一方、近年の光通信システムでは、ラマン増幅と呼ばれる光ファイバ内の非線形光学現象を利用した光ファイバ・アンプが注目されている。これは、物質内の振動現象により入射光と異なる波長の光が散乱（ラマン散乱）される物理現象を利用して、光ファイバ伝送路全体に強い励起光を入射させて光増幅するものである。
【０００８】
このようなラマン増幅方式を中継装置に適用して光増幅を行なうことにより、従来よりも大容量の伝送が可能になる。そして、このラマン増幅を用いたラマン増幅中継装置において、端局からの監視制御コマンドに基づきラマン増幅中継装置の動作状態を示すレスポンス信号を送信する場合には、ＥＤＦＡ中継装置の場合と同様にして、増幅媒体である光ファイバを励起する励起レーザダイオードの出力を、応答情報で変調して、光主信号に変調を施すことで、端局側に応答信号を送信する。
【０００９】
なお、ラマン増幅中継に関する技術に関しては、以下の２つの文献があるが、いずれの文献においても、端局と中継装置とで通信を行なうことで、海底の光伝送の状態を監視する技術については開示されていない。
【００１０】
【特許文献１】
特開平０１−２１７４２４号公報
【特許文献２】
特開２０００−９８４３３号公報
【００１１】
【発明が解決しようとする課題】
しかしながら、上述のごときラマン増幅中継を行なう場合においては、ラマン増幅中継装置の近傍で、光ファイバケーブルに切断／破断障害が発生すると、増幅媒体がなくなるために、ＡＳＥ光が発生しなくなる。すると、応答信号を端局に送信することができず、監視制御に支障を来たすことになるという課題がある。
【００１２】
また、ラマン増幅中継装置における中継伝送の際に、監視制御信号としてのＳＶ信号を光信号の中継とともに中継する際においては、前段の中継区間がファイバ断等で主信号としての光信号が伝送されてこない場合においても、ＳＶ信号を伝送できるような技術が必要である。
本発明はこのような課題に鑑み創案されたもので、ラマン増幅で光増幅中継を行なう際に、光ファイバケーブルに切断／破断障害が発生した場合でも、高品質な監視制御を行なうことができるようにした、中継装置およびラマン増幅中継システムを提供することを目的とする。
【００１３】
【課題を解決するための手段】
このため、本発明の中継装置は、伝送路を伝搬する光信号をラマン増幅するための中継装置であって、該第１端局からの上り回線を通じた光信号に含まれる監視制御コマンドに対する応答信号を前記ラマン増幅のためのラマン励起光に変調して、前記変調されたラマン励起光を該第２端局側の下り回線の伝送路ファイバに供給することにより、前記応答信号を該第２端局側の下り回線を通じた光信号に重畳して、該下り回線用に第１応答用信号を生成するラマン励起光生成・応答信号重畳部と、該第２端局側の下り回線を通じた光信号が入力されていない場合における上記監視制御コマンドに対する第２応答用信号を生成する応答信号生成部と、をそなえて構成されたことを特徴としている（請求項１）。
【００１４】
また、上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、該コマンド応答用スイッチが、該第２端局側の下り回線を通じた光信号が入力されている場合には、該下り回線用ラマン励起光を該第２端局側の下り回線の伝送路ファイバに供給するとともに、該第２端局側の下り回線を通じた光信号が入力されていない場合には、該下り回線用ラマン励起光を該応答信号生成部に出力するように構成されるとともに、該応答信号生成部が、該コマンド応答用スイッチからの該下り回線用ラマン励起光を受けて、該第２応答用信号として自然放出光を出力するドープファイバにより構成され、かつ、該ドープファイバで出力された該自然放出光を該第１端局側の下り回線を通じて該第１端局へ送出するように構成することとしてもよい（請求項２）。
【００１５】
さらに、該ラマン励起光生成・応答信号重畳部が、前記変調されたラマン励起光を該上り回線の伝送路ファイバに供給することにより、前記応答信号を該第１端局からの上り回線を通じた光信号にも重畳して、該上り回線用に該第１応答用信号を生成するとともに、該応答信号生成部が、上り回線からの該第１応答用信号に相当する信号の一部を該第２応答用信号として抽出する光信号抽出カプラにより構成され、かつ、上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、該コマンド応答用スイッチが、該光信号抽出カプラで抽出された第２応答用信号について、該第２端局側の下り回線を通じた光信号が入力されている場合には終端するとともに、該第２端局側の下り回線を通じた光信号が入力されていない場合には該第１端局側の下り回線を通じて折り返して該第１端局へ送出するように構成することもできる（請求項３）。
また、本発明の中継装置は、伝送路を伝搬する光信号をラマン増幅するための中継装置において、該光信号を増幅するための励起光を信号で変調し該光信号に該信号を重畳し該伝送路に供給する手段と、該伝送路に該信号が重畳された光を発生し該伝送路に供給する手段とを設けたことを特徴としている（請求項４）。
【００１６】
また、本発明のラマン増幅中継システムは、第１端局および第２端局間を伝送路ファイバを通じて接続する一方、該伝送路ファイバを伝搬する光信号を一つまたは複数のラマン増幅中継装置でラマン増幅して中継するラマン増幅中継システムであって、該第１端局および第２端局がそれぞれ、上記一つまたは複数のラマン増幅中継装置におけるいずれかの中継装置に対する監視制御コマンドを該ラマン増幅中継装置の識別情報とともに送信する監視制御コマンド送信部と、上記監視制御コマンドに対する応答を、上記一つまたは複数のラマン増幅中継装置から受けて該監視制御を行なう監視制御実行部とをそなえるとともに、該一つまたは複数のラマン増幅中継装置が、該第１端局又は第２端局の監視制御コマンド送信部からの光信号に含まれる監視制御コマンドに対する応答信号を前記ラマン増幅のためのラマン励起光に変調して、前記変調されたラマン励起光を該第１端局側および第２端局側における双方向の回線の伝送路ファイバに供給することにより、前記応答信号を上記双方向の回線を通じた光信号に重畳して、第１応答用信号を生成するラマン励起光生成・応答信号重畳部と、該第２端局側の下り回線を通じた光信号が入力されていない場合における上記監視制御コマンドに対する該第１端局宛ての第２応答用信号を生成する第１端局宛応答信号生成部と、上記監視制御コマンドに対する、該第１端局側の下り回線を通じた第１端局宛応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替える第１端局宛コマンド応答用スイッチと、該第１端局側の上り回線を通じた光信号が入力されていない場合における上記監視制御コマンドに対する該第２端局宛ての第３応答用信号を生成する第２端局宛応答信号生成部と、上記監視制御コマンドに対する、該第２端局側の上り回線を通じた第２端局宛応答信号として、該第１端局側の上り回線を通じた光信号が入力されている場合には上記第１応答用信号を、該第１端局側の上り回線を通じた光信号が入力されていない場合には上記第３応答用信号を、それぞれ用いるように切り替える第２端局宛コマンド応答用スイッチと、をそなえて構成されたことを特徴としている（請求項５）。
【００１７】
【発明の実施の形態】
以下、図面を参照することにより、本発明の実施の形態を説明する。
〔Ａ〕第１実施形態の説明
図１は本発明の第１実施形態におけるラマン増幅中継システム１を示すブロック図であり、この図１に示すラマン増幅中継システム１は、第１端局２−１および第２端局２−２間を伝送路ファイバ３を通じて接続する一方、伝送路ファイバ３を伝搬する光信号をｎ個（ｎ：自然数）のラマン増幅中継装置（中継装置）４−１〜４−ｎでラマン増幅して中継するようになっている。
【００１８】
なお、この図１に示すラマン増幅中継システム１を海底光伝送システムに適用した場合においては、伝送路ファイバ３の両端に配置された第１端局２−１および第２端局２−２は例えば陸上の局舎内に配置され、各ラマン増幅中継装置４−１〜４−ｎは海中に設置することができる。又、伝送路ファイバ３は、第１端局２−１から第２端局２−２に向けた光信号を伝送するための上り回線５ａとしての光ファイバ３ａと、第２端局２−２から第１端局２−１に向けた光信号を伝送するための下り回線５ｂとしての光ファイバ３ｂとにより構成される。
【００１９】
また、第１端局２−１および第２端局２−２はそれぞれ、上述のｎ個のラマン増幅中継装置４−１〜４−ｎにおけるいずれかに対する監視制御コマンドを、宛先ラマン増幅中継装置４−１〜４−ｎの識別情報とともに送信する監視制御コマンド送信部２１と、監視制御コマンドに対する応答信号を、上述のラマン増幅中継装置４−１〜４−ｎから受けて監視制御を行なう監視制御実行部２２とをそなえて構成されている。
【００２０】
たとえば、監視制御コマンド送信部２１においては、主信号としての光信号について、コード化された監視制御コマンドを例えば振幅変調により重畳して変調するようになっており、後述のラマン増幅中継装置４−１〜４−ｎにおいては、入力される光信号から、主信号に重畳して変調された監視制御コマンドを取り出すことができるようになっている。
【００２１】
また、各端局２−１，２−２の監視制御実行部２２においては、ラマン増幅中継装置４−１〜４−ｎからの監視制御コマンドに対する応答信号を受信して、自身の端局２−１，２−２において送信した監視制御コマンドに対する宛先のラマン増幅中継装置４−１〜４−ｎからの応答か否かを判断した上で、この応答信号に含まれる監視情報に基づいて監視制御を実行する。
【００２２】
たとえば、図１の場合においては、第１端局２−１においては、ラマン増幅中継装置４−２に宛てた監視制御コマンドＳＶを送信するとともに、ラマン増幅中継装置４−２においては第１端局２−１および第２端局２−２に対して応答信号ＲＰを送出している。この応答信号ＲＰを受けた第１端局２−１および第２端局２−２のうちで、応答信号ＲＰに対応する監視制御コマンドＳＶを送信した第１端局２−１が、応答信号ＲＰに含まれる監視情報に基づいて監視制御を実行するようになっている。
【００２３】
また、ラマン増幅中継装置４−１〜４−ｎはそれぞれ、ラマン励起光生成・応答信号重畳部４１，第１端局宛応答信号生成部４２，第１端局宛コマンド応答用スイッチ４３，第２端局宛応答信号生成部４４および第２端局宛コマンド応答用スイッチ４５をそなえて構成され、更に詳細には図２に示すような構成を有している。尚、図１中においては、ラマン増幅中継装置４−１に着目して図示している。
【００２４】
以下、各ラマン増幅中継装置４−１〜４−ｎの構成について説明していくこととする。尚、以下においては、ラマン増幅中継装置４−１〜４−ｎを単に装置４−１〜４−ｎと記載する場合がある。
ラマン励起光生成・応答信号重畳部４１は、第１端局２−１又は第２端局２−２の監視制御コマンド送信部２１からの光信号に含まれる監視制御コマンドに対する応答信号をラマン増幅のためのラマン励起光に変調して、変調されたラマン励起光を第１端局２−１側および第２端局２−２側における双方向の回線５ｂ，５ａの伝送路ファイバ３ｂ，３ｂにそれぞれ供給することにより、上述の応答信号を双方向の回線５ｂ，５ａを通じた光信号に重畳して、第１応答用信号を生成するものである。
【００２５】
すなわち、第２端局２−２側の下り回線５ｂの光ファイバ３ｂに供給するラマン励起光に着目すれば、第１端局２−１からの上り回線５ａを通じた光信号に含まれる監視制御コマンドに対する応答信号をラマン増幅のためのラマン励起光に変調して、変調されたラマン励起光を第２端局２−２側の下り回線５ｂの伝送路ファイバ３ｂに供給することにより、上述の応答信号を第２端局２−２側の下り回線５ｂを通じた光信号に重畳して、第１応答用信号を生成する。
【００２６】
このラマン励起光生成・応答信号重畳部４１の構成例としては、詳細には図２に示すように、光サーキュレータ４１１ａ，４１１ｂ，カプラ（ＣＰＬ）４１２ａ，４１２ｂ，フォトダイオード（ＰＤ）４１３ａ，４１３ｂ，光パワーモニタ／ＳＶ信号処理回路４１４，ＬＤ駆動回路４１５，ラマン励起光を発光する励起光源としてのレーザダイオード（ＬＤ）４１６−１，４１６−２およびカプラ４１７をそなえて構成されているとする。
【００２７】
光サーキュレータ４１１ａは、第１端局２−１側の光ファイバ３ａからの光信号については後段のカプラ４１２ａに出力する一方、後述する第２端局宛コマンド応答用スイッチとしての光スイッチ４５からのラマン励起用の励起光については、第１端局２−１側の光ファイバ３ａに送出するようになっている。
同様に、光サーキュレータ４１１ｂは、第２端局２−２側の光ファイバ３ｂからの光信号はカプラ４１２ｂに出力し、後述する第１端局宛コマンド応答用スイッチとしての光スイッチ４３からのラマン励起用の励起光については、第２端局２−２側の光ファイバ３ｂに送出するようになっている。
【００２８】
また、カプラ４１２ａ，４１２ｂはそれぞれ、光サーキュレータ４１１ａ，４１１ｂからの光信号について例えば２０：１程度の分岐比で分岐するとともに、分岐された光信号のうちの１／２０程度の光信号についてはフォトダイオード４１３ａ，４１３ｂに出力し、残りの光信号については後述するカプラ４６ａ，４６ｂに出力するようになっている。
【００２９】
フォトダイオード４１３ａ，４１３ｂはそれぞれ、カプラ４１２ａ，４１２ｂで分岐された一部の光信号を電気信号に変換して、光パワーモニタ／ＳＶ信号処理回路４１４に出力するようになっている。
さらに、光パワーモニタ／ＳＶ信号処理部４１４は、フォトダイオード４１３ａ，４１３ｂからの電気信号から監視制御コマンドを抽出して、この監視制御コマンドに応じた必要な信号処理を行なうものであって、図３に示すように、監視制御コマンドとしての信号成分を抽出するコマンド抽出回路４１４ａおよび信号成分が抽出された監視制御コマンドについての処理を行なうコマンド処理部４１４ｂをそなえている。
【００３０】
ここで、コマンド抽出回路４１４ａは、フォトダイオード４１３ａ，４１３ｂからのそれぞれの電気信号について、監視制御コマンドが変調されている周波数成分を抽出するバンドパスフィルタ４１４１およびバンドパスフィルタ４１４１にて抽出された信号成分を増幅し波形整形する増幅・波形整形処理回路４１４２をそなえて構成されている。
【００３１】
具体的には、バンドパスフィルタ４１４１で監視制御コマンドとしてのバースト信号を抽出し、増幅・波形整形処理回路４１４２で上述のバースト信号の包絡線を検波して、例えば数ｋＨｚ〜数十ｋＨｚ程度のコード化された信号を得る。
また、コマンド処理部４１４ｂは、デコード部４１４３，監視情報収集部４１４４，コマンド判定部４１４５，応答信号作成部４１４６および光入力断検出部４１４７をそなえて構成されている。
【００３２】
ここで、デコード部４１４３は、増幅波形整形処理回路４１４２からのコード化された信号をデコードするものである。
監視情報収集部４１４４は、例えば、監視制御コマンドに対する応答信号に含めるべき監視情報を収集するものである。例えば、各光ファイバ３ａ，３ｂから自身の装置４−１〜４−ｎへ入力される光入力パワーのモニタ値，光ファイバ３ａ，３ｂへ出射される光出力パワーのモニタ値およびラマン励起用の励起光を発光するレーザダイオード４１６−１，４１６−２を流れる電流値等を監視情報として収集する。
【００３３】
コマンド判定部４１４５は、デコード部４１４３でデコードされた監視制御コマンドに含まれる宛先情報から、自身の装置４−１〜４−ｎ宛てのコマンドか否かを判定するものである。更に、応答信号作成部４１４６は、デコード部４１４３にてデコードされた信号が自身の装置４−１〜４−ｎ宛ての監視制御コマンドであるとコマンド判定部４１４５で判定された場合において、監視情報収集部４１４４で収集された監視情報とともに自身の装置４−１〜４−ｎの識別情報を用いて応答信号を作成するものである。
【００３４】
また、光入力断検出部４１４７は、監視情報収集部４１４４からの光入力レベルを示す信号に基づいて、光ファイバ３ａ，３ｂから光信号が入力されているか否かを判定するもので、判定結果を光スイッチ４３，４５に通知するようになっている。特に、光入力断検出部４１４７は、光ファイバ３ａ，３ｂを通じて入力される光信号の無入力状態や、自身の装置４−１〜４−ｎに比較的近接した位置での光ファイバ３ａ，３ｂの切断／破断障害を検出して、これを光スイッチ４３，４５へ通知するのである。
【００３５】
さらに、ラマン励起光生成・応答信号重畳部４１を構成するＬＤ駆動回路４１５は、ラマン励起光源としてのレーザダイオード４１６−１，４１６−２を駆動するための電圧信号に、応答信号作成部４１４６にて作成された応答信号を重畳するものである。
これにより、レーザダイオード４１６−１，４１６−２においては、応答信号が変調されたラマン励起光を生成することができるようになっている。尚、レーザダイオード４１６−１，４１６−２は、双方を現用として用いたり、一方を現用系とし他方を待機系として用いたりすることができる。又、カプラ４１７は、レーザダイオード４１６−１〜４１６−２からのラマン励起光を合分波して、第１端局宛コマンド応答スイッチ４３および第２端局宛コマンド応答スイッチ４５に出力するようになっている。
【００３６】
（第１端局宛の）コマンド応答スイッチとしての光スイッチ（光ＳＷ）４３は、光パワーモニタ／ＳＶ信号処理部４１４の光入力断検出部４１４７からの信号に基づき、第２端局２−２側の下り回線５ｂを通じた光信号が入力されているか否かに応じて、カプラ４１４７からのラマン励起光を光サーキュレータ４１１ｂか又はエルビウムドープファイバ４２に選択的に出力するものである。
【００３７】
（第１端局宛の）応答信号生成部としてのエルビウムドープファイバ（ＥＤＦ）４２は、第２端局２−２側の下り回線５ｂを通じた光信号が入力されていない場合における、監視制御コマンドに対する第１端局２−１宛ての第２応答用信号としてのＡＳＥ光を生成するものである。具体的には、第２端局２−２側の下り回線５ｂを通じた光信号が入力されていない場合に、光スイッチ４３を通じてカプラ４１４７からの（応答信号が変調された）光を励起光として入力されて、応答信号が変調されたＡＳＥ光を出力するようになっている。
【００３８】
すなわち、光スイッチ４３において、ラマン励起光を第２端局２−２側の光ファイバ３ｂに出力することにより第１応答用信号が生成される一方、ラマン励起光をＥＤＦ４２に出力することにより第２応答用信号が生成される。
換言すれば、上述の光スイッチ４３により、監視制御コマンドに対する、第１端局２−１側の下り回線５ｂを通じた第１端局宛応答信号として、第２端局２−２側の下り回線５ｂを通じた光信号が入力されている場合には上述の第１応答用信号を、第２端局２−２側の下り回線５ｂを通じた光信号が入力されていない場合にはＥＤＦ４２からの第２応答用信号を、それぞれ切り替えて用いている。
【００３９】
なお、カプラ４６ｂは、光スイッチ４３において第２応答用信号を用いる場合において、ＥＤＦ４２で出力された自然放出光を第１端局２−１側の下り回線５ｂの光ファイバ３ｂに伝搬させるためのもので、この下り回線５ｂを通じて第２応答信号としてのＡＳＥ光を第１端局２−１へ送出することができる。
これに対し、（第２端局宛の）コマンド応答スイッチとしての光スイッチ（光ＳＷ）４５は、光パワーモニタ／ＳＶ信号処理部４１４の光入力断検出部４１４７からの信号に基づき、第１端局２−１側の上り回線５ａを通じた光信号が入力されているか否かに応じて、カプラ４１４７からのラマン励起光を光サーキュレータ４１１ｂか又はエルビウムドープファイバ４２に選択的に出力するものである。
【００４０】
また、（第２端局宛の）応答信号生成部としてのエルビウムドープファイバ（ＥＤＦ）４４は、第１端局２−１側の上り回線５ａを通じた光信号が入力されていない場合における、監視制御コマンドに対する第２端局２−２宛ての第２応答用信号としてのＡＳＥ光を生成するものである。具体的には、第１端局２−１側の上り回線５ａを通じた光信号が入力されていない場合に、光スイッチ４５を通じてカプラ４１４７からの（応答信号が変調された）光を励起光として入力されて、応答信号が変調されたＡＳＥ光を出力するようになっている。
【００４１】
すなわち、光スイッチ４５において、ラマン励起光を第１端局２−１側の光ファイバ３ａに出力することにより第１応答用信号が生成される一方、ラマン励起光をＥＤＦ４４に出力することにより第２応答用信号が生成される。
換言すれば、上述の光スイッチ４５により、監視制御コマンドに対する、第２端局２−２側の上り回線５ａを通じた第２端局宛応答信号として、第１端局２−１側の上り回線５ａを通じた光信号が入力されている場合には上述の第１応答用信号を、第１端局２−１側の上り回線５ａを通じた光信号が入力されていない場合にはＥＤＦ４４からの第２応答用信号を、それぞれ切り替えて用いている。
【００４２】
なお、カプラ４６ａは、光スイッチ４５において第２応答用信号を用いる場合において、ＥＤＦ４４で出力された自然放出光を第２端局２−２側の上り回線５ａの光ファイバ３ａに伝搬させるためのもので、この上り回線５ａを通じて第１応答信号としてのＡＳＥ光を第２端局２−２へ送出することができる。
上述の構成により、本発明の第１実施形態におけるラマン増幅中継システム１においては、第１端局２−１および第２端局２−２間において送受される光信号は、伝送路ファイバ３上に配置されたラマン増幅中継装置４−１〜４−ｎにおいてラマン増幅されて中継伝送される。
【００４３】
このとき、第１端局２−１，第２端局２−２においては、ラマン増幅中継装置４−１〜４−ｎとの監視制御情報のやり取りを通じて、ラマン増幅中継装置４−１〜４−ｎの状態を監視して、障害が生したような場合にその障害発生箇所を迅速に特定できるようにしている。
すなわち、各ラマン増幅中継装置４−１〜４−ｎにおいて、第１端局２−１または第２端局２−２からの監視制御コマンドに対して、上り下りの回線５ａ，５ｂのそれぞれを通じて中継すべき光信号が入力されている場合には、光スイッチ４３，４５の切り替えにより、ラマン増幅された主信号に応答信号を重畳した第１応答用信号を用いて応答している。
【００４４】
また、各ラマン増幅中継装置４−１〜４−ｎ近傍の光ファイバに破断／切断障害等が生じて、上り下りの回線５ａ，５ｂのそれぞれを通じて中継すべき光信号が入力されていない場合には、第１端局２−１または第２端局２−２からの監視制御コマンドに対して、ＥＤＦ４２，４４からの（応答信号が変調された）ＡＳＥ光としての第２応答用信号を用いて応答している。
【００４５】
このように、本発明の第１実施形態によれば、図４に示すようなラマン増幅中継装置４′−１〜４′−ｎとして、応答信号生成部としてのエルビウムドープファイバ４２，４４と、コマンド応答用スイッチとしての光スイッチ４３，４５とをそなえない場合に比して、ラマン増幅で光増幅中継を行なう際に、光ファイバケーブルに切断／破断障害が発生した場合でも、高品質な監視制御を行なうことができるほか、エルビウムドープファイバ４２，４４の特性として高い精度は不要であるため、システムを構築するためのコストの削減に寄与することができる。
【００４６】
なお、上述の図４に示すラマン増幅中継装置４′−１〜４′−ｎのラマン励起光生成・応答信号重畳部４１′は、第１実施形態におけるもの（符号４１参照）とは異なる光パワーモニタ／ＳＶ信号処理回路４１４′をそなえている。即ち、この光パワーモニタ／ＳＶ信号処理回路４１４′は、図３に示す光入力断検出部４１４７としての機能を除いた機能（符号４１４１〜４１４６参照）をそなえて構成されている。又、図４中において、図２と同一の符号は、同様の部分を示している。
【００４７】
〔Ｂ〕第２実施形態の説明
図５は本発明の第２実施形態におけるラマン増幅中継装置４Ａを示すブロック図であり、この図５に示すラマン増幅中継４Ａについても、前述の第１実施形態におけるラマン増幅中継システム１における各ラマン増幅中継装置４−１〜４−ｎとして適用することができるものであるが、第１実施形態におけるラマン増幅中継装置４−１〜４−ｎ構成に比して、ラマン励起光生成・応答信号重畳部４１Ａおよび光スイッチ４３Ａ，４５Ａの構成が異なっている。尚、図５中、図２と同一の符号は、同様の部分を示している。
【００４８】
この図５に示すラマン増幅中継装置４Ａにおいて、ラマン励起光生成・応答信号重畳部４１Ａは、前述の図２に示すもの（符号４１参照）に比して、光スイッチ４５，４３が設けられていた位置に、それぞれカプラ４１８ａ，４１８ｂが設けられている。
ここで、カプラ４１８ａは、カプラ４１７からの一方のラマン励起光について分波して、分波した一方を光サーキュレータ４１１ａに出力するとともに、他方をＥＤＦ４４に出力するようになっている。又、カプラ４１８ｂは、カプラ４１７からの他方のラマン励起光について分波して、分波した一方を光サーキュレータ４１１ｂに出力するとともに、他方をＥＤＦ４２に出力するようになっている。
【００４９】
換言すれば、ラマン励起光生成・応答信号重畳部４１Ａにおいては、下り回線用ラマン励起光を、第２端局２−２側の下り回線５ｂの光ファイバ３ｂとともに応答信号生成部としてのＥＤＦ４２にも供給するようになっている。同様に、ラマン励起光生成・応答信号重畳部４１Ａは、上り回線用ラマン励起光を、第１端局２−１側の上り回線５ａの光ファイバ３ａとともにＥＤＦ４４にも供給するようになっている。
【００５０】
また、応答信号生成部としてのＥＤＦ４２は、ラマン励起光生成・応答信号重畳部４１Ａからの下り回線用ラマン励起光を受けて、第２応答用信号として（応答信号が変調された）ＡＳＥ光を出力するようになっている。又、ＥＤＦ４４においても、ラマン励起光生成・応答信号重畳部４１Ａからの上り回線用ラマン励起光を受けて、第２応答用信号として（応答信号が変調された）ＡＳＥ光を出力するようになっている。
【００５１】
さらに、光スイッチ４３Ａは、光パワーモニタ／ＳＶ信号処理回路４１４からの光入力断検出情報を受けて、第２端局２−２側の下り回線５ｂを通じた光信号が入力されているか否かに応じて、ＥＤＦ４２からのＡＳＥ光を後段のカプラ４６ｂに出力するようになっている。又、光スイッチ４５Ａについては、光パワーモニタ／ＳＶ信号処理回路４１４からの光入力断検出情報を受けて、第１端局２−１側の上り回線５ａを通じた光信号が入力されているか否かに応じて、ＥＤＦ４４からのＡＳＥ光を後段のカプラ４６ａに出力するようになっている。
【００５２】
具体的には、コマンド応答用スイッチとしての光スイッチ４３Ａは、ＥＤＦ４２からのＡＳＥ光について、第２端局２−２側の下り回線５ｂを通じた光信号が入力されている場合には終端するとともに、第２端局２−２側の下り回線５ｂを通じた光信号が入力されていない場合には第１端局２−１側の下り回線５ｂを通じて第１端局２−１へ送出するようになっている。
【００５３】
また、光スイッチ４５Ａは、ＥＤＦ４４からのＡＳＥ光について、第１端局２−１側の上り回線５ａを通じた光信号が入力されている場合には終端するとともに、第２端局２−１側の上り回線５ａを通じた光信号が入力されていない場合には第２端局２−２側の上り回線５ａを通じて第２端局２−２へ送出するようになっている。
【００５４】
すなわち、カプラ４１７からの励起光をカプラ４１８ａ，４１８ｂで分岐しても、それぞれの光ファイバ３ａ，３ｂにおけるラマン増幅のために十分な励起光パワーを確保できる場合においては、本実施形態のように、第１実施形態の場合の光スイッチ４５，４３の位置にカプラ４１８ａ，４１８ｂを設けることとしてもよい。この場合においては、光スイッチ４３Ａ，４５Ａとしては、光入力断状態の場合には、ＥＤＦ４２，４４からのＡＳＥ光を終端させることで、終端しない場合に生じうる反射の影響を抑圧させることができる。
【００５５】
このような構成のラマン増幅中継装置４Ａを、図１に示す各ラマン増幅中継装置４−１〜４−ｎに代えて、ラマン増幅中継装置４Ａ−１〜４Ａ―ｎとして適用した場合も前述の第１実施形態の場合と同様に監視制御を行なうことができる。即ち、第１端局２−１，第２端局２−２においては、ラマン増幅中継装置４Ａ−１〜４Ａ−ｎとの監視制御情報のやり取りを通じて、ラマン増幅中継装置４Ａ−１〜４Ａ−ｎの状態を監視して、障害が生したような場合にその障害発生箇所を迅速に特定できるようにしている。
【００５６】
このとき、各ラマン増幅中継装置４Ａ−１〜４Ａ−ｎにおいて、第１端局２−１または第２端局２−２からの監視制御コマンドに対して、上り下りの回線５ａ，５ｂのそれぞれを通じて中継すべき光信号が入力されている場合には、光スイッチ４３Ａ，４５Ａの切り替えにより、ラマン増幅された主信号に応答信号を重畳した第１応答用信号を用いて応答している。
【００５７】
また、各ラマン増幅中継装置４Ａ−１〜４Ａ−ｎ近傍の光ファイバに破断／切断障害等が生じて、上り下りの回線５ａ，５ｂのそれぞれを通じて中継すべき光信号が入力されていない場合には、第１端局２−１または第２端局２−２からの監視制御コマンドに対して、ＥＤＦ４２，４４からの（応答信号が変調された）ＡＳＥ光としての第２応答用信号を用いて応答している。
【００５８】
このように、本発明の第２実施形態においても、ラマン増幅で光増幅中継を行なう際に、光ファイバケーブルに切断／破断障害が発生した場合に、高品質な監視制御を行なうことができるほか、エルビウムドープファイバ４２，４４の特性として高い精度は不要であるため、システムを構築するためのコストの削減に寄与することができる。
【００５９】
〔Ｃ〕第３実施形態の説明
図６は本発明の第３実施形態におけるラマン増幅中継装置４Ｂを示すブロック図であり、この図６に示すラマン増幅中継４Ｂについても、前述の第１実施形態におけるラマン増幅中継システム１における各ラマン増幅中継装置４−１〜４−ｎとして適用することができるものである。
【００６０】
この図６に示すラマン増幅中継装置４Ｂにおいては、第１実施形態におけるラマン増幅中継装置４−１〜４−ｎの構成に比して、応答信号生成部としての機能をカプラ４２Ｂに持たせるとともに、光スイッチ４３Ｂ，４５Ｂの機能が異なっている。尚、図６中、図２と同一の符号は、同様の部分を示している。
すなわち、応答信号生成部としてのカプラ４２Ｂは、ラマン励起光生成・応答信号重畳部４１から光ファイバ３ａに供給される（応答信号が変調された）ラマン励起光により増幅された光信号（第２端局２−２宛ての第１応答用信号）を入力されて、この第１応答用信号の一部を分岐して、第１端局宛コマント応答スイッチとしての光スイッチ４３Ｂに第２応答用信号として出力するものである。従って、カプラ４６ａは、上り回線５ａからの第１応答用信号の一部を第２応答用信号として抽出する光信号抽出カプラとして機能する。
【００６１】
また、カプラ４４Ｂは、ラマン励起光生成・応答信号重畳部４１から光ファイバ３ｂに供給される（応答信号が変調された）ラマン励起光により増幅された光信号（第１端局２−１宛ての第１応答用信号）をカプラ４１２ｂから入力されて、この第１応答用信号の一部を分岐して、光スイッチ４５Ｂに第２応答用信号として出力するものである。
【００６２】
さらに、光スイッチ４３Ｂは、光パワーモニタ／ＳＶ信号処理回路４１４からの光入力断検出情報を受けて、第２端局２−２側の下り回線５ｂを通じた光信号が入力されているか否かに応じて、カプラ４２ＢからのＡＳＥ光を出力側のカプラ４４Ｂに出力するようになっている。又、光スイッチ４５Ｂについては、光パワーモニタ／ＳＶ信号処理回路４１４からの光入力断検出情報を受けて、第１端局２−１側の上り回線５ａを通じた光信号が入力されているか否かに応じて、カプラ４４ＢからのＡＳＥ光を出力側のカプラ４２Ｂに出力するようになっている。
【００６３】
具体的には、コマンド応答用スイッチとしての光スイッチ４３Ｂは、カプラ４２Ｂからの第２応答用信号について、第２端局２−２側の下り回線５ｂを通じた光信号が入力されている場合には終端するとともに、第２端局２−２側の下り回線５ｂを通じた光信号が入力されていない場合にはカプラ４４Ｂを介して第１端局２−１側の下り回線５ｂを通じて第１端局２−１へ送出するようになっている。
【００６４】
また、光スイッチ４５Ｂは、カプラ４４Ｂからの第２応答用信号について、第１端局２−１側の上り回線５ａを通じた光信号が入力されている場合には終端するとともに、第２端局２−１側の上り回線５ａを通じた光信号が入力されていない場合には第２端局２−２側の上り回線５ａを通じて第２端局２−２へ送出するようになっている。
【００６５】
換言すれば、第２端局２−２側の下り回線５ｂを通じた光信号が入力されていない場合には、カプラ４２Ｂで分岐された第２端局宛の第１応答用信号を、光スイッチ４３Ｂおよびカプラ４４Ｂを通じて、第１端局宛の第２応答信号として、光ファイバ３ａに折り返して送出するようになっている。
同様に、第１端局２−１側の上り回線５ａを通じた光信号が入力されていない場合には、カプラ４４Ｂで分岐された第１端局宛の第１応答用信号を、光スイッチ４５Ｂおよびカプラ４２Ｂを通じて、第２端局宛の第２応答信号として、光ファイバ３ｂに折り返して送出するようになっている。
【００６６】
このような構成のラマン増幅中継装置４Ｂを、図１に示す各ラマン増幅中継装置４−１〜４−ｎに代えて、ラマン増幅中継装置４Ｂ−１〜４Ｂ―ｎとして適用した場合も前述の第１実施形態の場合と同様に監視制御を行なうことができる。即ち、第１端局２−１，第２端局２−２においては、ラマン増幅中継装置４Ｂ−１〜４Ｂ−ｎとの監視制御情報のやり取りを通じて、ラマン増幅中継装置４Ｂ−１〜４Ｂ−ｎの状態を監視して、障害が生したような場合にその障害発生箇所を迅速に特定できるようにしている。
【００６７】
このとき、各ラマン増幅中継装置４Ｂ−１〜４Ｂ−ｎにおいて、第１端局２−１または第２端局２−２からの監視制御コマンドに対して、上り下りの回線５ａ，５ｂのそれぞれを通じて中継すべき光信号が入力されている場合には、光スイッチ４３Ｂ，４５Ｂの切り替えにより、ラマン増幅された主信号に応答信号を重畳した第１応答用信号を用いて応答している。
【００６８】
また、各ラマン増幅中継装置４Ｂ−１〜４Ｂ−ｎ近傍の光ファイバに破断／切断障害等が生じて、上り下りの回線５ａ，５ｂのそれぞれを通じて中継すべき光信号が入力されていない場合には、カプラ４２Ｂ，４４Ｂおよび光スイッチ４３Ｂ，４５Ｂにより、第１端局２−１または第２端局２−２からの監視制御コマンドに対して、対局宛の第１応答用信号を折り返した第２応答用信号を用いて応答している。
【００６９】
すなわち、双方向の回線５ａ，５ｂにおける光ファイバ３ａ，３ｂを伝搬する主信号に重畳される応答信号は同一のものを用いているので、監視制御コマンドに対する応答としても、対局宛の第１応答用信号を、光入力断時の応答信号として用いることができるのである。
このように、本発明の第３実施形態においても、ラマン増幅で光増幅中継を行なう際に、光ファイバケーブルに切断／破断障害が発生した場合に、高品質な監視制御を行なうことができる利点がある。
【００７０】
〔Ｄ〕第４実施形態の説明
図７は本発明の第４実施形態におけるラマン増幅中継装置４Ｃを示すブロック図であり、この図７に示すラマン増幅中継４Ｃについても、前述の第１実施形態におけるラマン増幅中継システム１における各ラマン増幅中継装置４−１〜４−ｎとして適用することができるものである。
【００７１】
この図７に示すラマン増幅中継装置４Ｃにおいては、第３実施形態におけるラマン増幅中継装置４Ｂの構成に比して、応答信号生成部としての機能をカプラ４２Ｂとともにカプラ４２１およびＥＤＦ４２２に持たせるとともに、光スイッチ４３Ｃ，４５Ｃの機能が異なっている。尚、図７中、図６と同一の符号は、同様の部分を示している。
【００７２】
ここで、図７に示すラマン増幅中継装置４Ｃにおいては、ラマン増幅中継装置４Ｂにおいてカプラ４２Ｂで折り返された光信号（第１応答用信号の一部が分岐された光信号）を光スイッチ４３Ｂを介してカプラ４４Ｂに供給する際の経路の損失が大きい場合に、この光信号を増幅するための機能を追加したものである。同様に、カプラ４４Ｂで折り返された光信号をカプラ４２Ｂに供給する際の光信号を増幅するための機能を追加している。
【００７３】
すなわち、ラマン増幅中継装置４Ｃにおいては、カプラ４２Ｂで折り返された光信号をカプラ４４Ｂに供給する際の当該光信号を増幅するために、カプラ４４１およびＥＤＦ４４２をそなえるとともに、カプラ４４Ｂで折り返された光信号をカプラ４２Ｂに供給する際の当該光信号を増幅するために、カプラ４２１およびＥＤＦ４２２をそなえている。
【００７４】
また、ＥＤＦ４２２は、カプラ４２Ｂで抽出された光信号を、ラマン励起光生成・応答信号重畳部４１からの下り回線用ラマン励起光により増幅し、第２応答用信号として出力するドープファイバとして機能する。又、上述の光信号抽出カプラとしてのカプラ４２ＢとドープファイバとしてのＥＤＦ４２２により、応答信号生成部を構成する。
【００７５】
さらに、光スイッチ４３Ｃは、光パワーモニタ／ＳＶ信号処理回路４１４からの光入力断検出情報を受けて、第２端局２−２側の下り回線５ｂを通じた光信号が入力されているか否かに応じて、ラマン励起光生成・応答信号重畳部４１からのラマン励起光の出力先を切り替えるようになっている。又、光スイッチ４５Ｃについては、光パワーモニタ／ＳＶ信号処理回路４１４からの光入力断検出情報を受けて、第１端局２−１側の上り回線５ａを通じた光信号が入力されているか否かに応じて、ラマン励起光生成・応答信号重畳部４１からのラマン励起光の出力先を切り替えるようになっている。
【００７６】
具体的には、コマンド応答用スイッチとしての光スイッチ４３Ｃは、カプラ４１７からのラマン励起光について、第２端局２−２側の下り回線５ｂを通じた光信号が入力されている場合にはサーキュレータ４１１ｂを通じて光ファイバ３ｂに後方励起光として出力する一方、第２端局２−２側の下り回線５ｂを通じた光信号が入力されていない場合にはカプラ４２１を介してＥＤＦ４２２による励起光として出力するようになっている。
【００７７】
また、光スイッチ４５Ｃは、第１端局２−１側の上り回線５ａを通じた光信号が入力されている場合には、カプラ４１７からのラマン励起光についてサーキュレータ４１１ａを通じて光ファイバ３ａに後方励起光として出力する一方、第１端局２−１側の上り回線５ａを通じた光信号が入力されていない場合にはカプラ４１７からのラマン励起光についてカプラ４４１を介してＥＤＦ４４２による励起光として出力するようになっている。
【００７８】
このような構成のラマン増幅中継装置４Ｃを、図１に示す各ラマン増幅中継装置４−１〜４−ｎに代えて、ラマン増幅中継装置４Ｃ−１〜４Ｃ―ｎとして適用した場合も前述の第１実施形態の場合と同様に監視制御を行なうことができる。即ち、第１端局２−１，第２端局２−２においては、ラマン増幅中継装置４Ｃ−１〜４Ｃ−ｎとの監視制御情報のやり取りを通じて、ラマン増幅中継装置４Ｃ−１〜４Ｃ−ｎの状態を監視して、障害が生したような場合にその障害発生箇所を迅速に特定できるようにしている。
【００７９】
このとき、各ラマン増幅中継装置４Ｃ−１〜４Ｃ−ｎにおいて、上り下りの回線５ａ，５ｂのそれぞれを通じて中継すべき光信号が入力されている場合には、第１端局２−１または第２端局２−２からの監視制御コマンドに対して、光スイッチ４３Ｃ，４５Ｃの切り替えにより、ラマン増幅された主信号に応答信号を重畳した第１応答用信号を用いて応答している。
【００８０】
また、各ラマン増幅中継装置４Ｃ−１〜４Ｃ−ｎ近傍の光ファイバに破断／切断障害等が生じて、上り下りの回線５ａ，５ｂのそれぞれを通じて中継すべき光信号が入力されていない場合には、カプラ４２Ｂ，４４Ｂおよび光スイッチ４３Ｃ，４５Ｃにより、第１端局２−１または第２端局２−２からの監視制御コマンドに対して、対局宛の第１応答用信号を折り返した第２応答用信号を用いて応答している。
【００８１】
なお、各ラマン増幅中継装置４Ｃ−１〜４Ｃ−ｎにおいて、下り回線５ｂを通じて中継すべき光信号が入力されている場合にも、カプラ４２Ｂからの折り返し信号がカプラ４２１，ＥＤＦ４２２およびカプラ４４Ｂを通じて下り回線５ｂに出力されているが、この折り返し光については、ＥＤＦ４２２が励起されていないため当該光信号はＥＤＦ４２２で吸収され、カプラ４４Ｂの入力では無視できる程度まで減衰している。上り回線５ａを通じて中継すべき光信号が入力されている場合の折り返し光についても同様である。
【００８２】
このように、本発明の第４実施形態においても、前述の第３実施形態の場合と同様に、ラマン増幅で光増幅中継を行なう際に、光ファイバケーブルに切断／破断障害が発生した場合に、高品質な監視制御を行なうことができる利点がある。
〔Ｅ〕第５実施形態の説明
図８は本発明の第５実施形態におけるラマン増幅中継装置４Ｄを示すブロック図であり、この図８に示すラマン増幅中継４Ｄについても、前述の第１実施形態におけるラマン増幅中継システム１における各ラマン増幅中継装置４−１〜４−ｎとして適用することができるものである。
【００８３】
この図８に示すラマン増幅中継装置４Ｄにおいては、第４実施形態におけるラマン増幅中継装置４Ｃの構成に比して、応答信号生成部としての機能をカプラ４２Ｂとともにカプラ４２１およびＥＤＦ４２２に持たせている点は共通するが、ラマン励起光生成・応答信号重畳部４１Ａの構成および光スイッチ４３Ｄ，４５Ｄの機能が異なっている。尚、図８中、図７と同一の符号は、同様の部分を示している。
【００８４】
ここで、図８に示すラマン励起光生成・応答信号生成部４１Ａは、前述の図５の場合と同様の構成を有している。即ち、前述の図７に示すもの（符号４１参照）に比して、光スイッチ４５Ｃ，４３Ｃが設けられていた位置に、それぞれカプラ４１８ａ，４１８ｂが設けられている。
また、光スイッチ４３Ｄは、光パワーモニタ／ＳＶ信号処理回路４１４からの光入力断検出情報を受けて、第２端局２−２側の下り回線５ｂを通じた光信号が入力されているか否かに応じて、ＥＤＦ４２２からの（応答信号が変調された）光信号の導通／遮断を切り替えるようになっている。又、光スイッチ４５Ｄについては、光パワーモニタ／ＳＶ信号処理回路４１４からの光入力断検出情報を受けて、第１端局２−１側の上り回線５ａを通じた光信号が入力されているか否かに応じて、ＥＤＦ４４２からの（応答信号が変調された）光信号の導通／遮断を切り替えるようになっている。
【００８５】
具体的には、コマンド応答用スイッチとしての光スイッチ４３Ｄは、ＥＤＦ４２２で増幅された光信号について、第２端局２−２側の下り回線５ｂを通じた光信号が入力されている場合には終端する一方、第２端局２−２側の下り回線５ｂを通じた光信号が入力されていない場合にはカプラ４４Ｂを介して第２応答信号として出力するようになっている。
【００８６】
また、光スイッチ４５Ｄは、第１端局２−１側の上り回線５ａを通じた光信号が入力されている場合にはＥＤＦ４４２で増幅された光信号を終端する一方、第１端局２−１側の上り回線５ａを通じた光信号が入力されていない場合にはＥＤＦ４４２で増幅された光信号についてカプラ４２Ｂを介して第２応答信号として出力するようになっている。
【００８７】
これにより、下り回線５ｂを通じて中継すべき光信号が入力されている場合に、カプラ４２Ｂからの折り返し光による反射の影響を除去するとともに、下り回線５ｂを通じて中継すべき光信号が入力されていない場合には、十分な光レベルで第２応答信号を出力することができる。上り回線５ａについても下り回線５ｂの場合と同様である。
【００８８】
このような構成のラマン増幅中継装置４Ｄを、図１に示す各ラマン増幅中継装置４−１〜４−ｎに代えて、ラマン増幅中継装置４Ｄ−１〜４Ｄ―ｎとして適用した場合も前述の第１実施形態の場合と同様に監視制御を行なうことができる。即ち、第１端局２−１，第２端局２−２においては、ラマン増幅中継装置４Ｄ−１〜４Ｄ−ｎとの監視制御情報のやり取りを通じて、ラマン増幅中継装置４Ｄ−１〜４Ｄ−ｎの状態を監視して、障害が生したような場合にその障害発生箇所を迅速に特定できるようにしている。
【００８９】
このとき、各ラマン増幅中継装置４Ｄ−１〜４Ｄ−ｎにおいて、上り下りの回線５ａ，５ｂのそれぞれを通じて中継すべき光信号が入力されている場合には、第１端局２−１または第２端局２−２からの監視制御コマンドに対して、カプラ４１８ｂ，４１８ａを通じて、ラマン増幅された主信号に応答信号を重畳した第１応答用信号を用いて応答している。又、ＥＤＦ４２２，４４２からの第２応答信号については光スイッチ４３Ｄ，４５Ｄにおいて終端されているので、回線５ｂ，５ａには送出されない。
【００９０】
また、各ラマン増幅中継装置４Ｃ−１〜４Ｃ−ｎ近傍の光ファイバに破断／切断障害等が生じて、上り下りの回線５ａ，５ｂのそれぞれを通じて中継すべき光信号が入力されていない場合には、光スイッチ４３Ｄ，４５Ｄにより、第１端局２−１または第２端局２−２からの監視制御コマンドに対して、対局宛の第１応答用信号を折り返してＥＤＦ４２２，４４２でそれぞれ増幅された第２応答用信号を用いて応答している。
【００９１】
このように、本発明の第５実施形態においても、前述の第３実施形態の場合と同様に、ラマン増幅で光増幅中継を行なう際に、光ファイバケーブルに切断／破断障害が発生した場合に、高品質な監視制御を行なうことができる利点がある。
〔Ｆ〕第６実施形態の説明
上述の各実施形態においては、光ファイバケーブルに切断／破断障害が発生した場合に、監視制御信号（ＳＶ信号）の応答信号（対向回線で折り返す信号）を伝送するようになっているが、本発明によればこれに限定されず、例えばラマン増幅にてＳＶ信号を伝送するときに、重畳すべき光（光信号）が無い場合にも下流の中継装置や端局にＳＶ信号が伝送できるようにすることも可能である。
【００９２】
この場合における中継装置としては、例えば図９に示すような構成を有することができる。
図９は本発明の第６実施形態におけるラマン増幅中継装置（中継装置）５０を示すブロック図である。この図９に示すラマン増幅中継装置５０は、前述の各実施形態にかかる中継装置と同様に、図示しない第１端局（図１の符号２−１参照）および第２端局（図１の符号２−２参照）間を上り回線をなす伝送路ファイバ３を通じて接続しているが、前述の各実施形態にかかる中継装置と異なり、伝送路ファイバ３を伝搬する光信号を後方励起ではなく前方励起でラマン増幅して中継するようになっている。
【００９３】
なお、図９中においては上り回線をなす伝送路ファイバ３に着目して図示しているが、下り回線としての伝送路ファイバについても同様に接続することができる。
また、ラマン増幅中継装置５０は、光カプラ５１，フォトダイオード（ＰＤ）５２，ＳＶ信号検出器５３，入力断検出器５４，ＳＶ信号発生器５５，励起光発生部５６，光スイッチ５７，光カプラ５８，エルビウムドープファイバ（ＥＤＦ）５９および光カプラ６０をそなえて構成されている。
【００９４】
ここで、光カプラ５１は、伝送路ファイバ３を通じて入力されてきた中継増幅のための光信号の一部を所定の分岐比で分岐して、その一部をフォトダイオード５２に出力するとともに、残りを後段の光カプラ５８に出力するものである。フォトダイオード５２は、上述の光カプラ５１で分岐された一部の光信号について電気信号に変換するものである。
【００９５】
さらに、ＳＶ信号検出器５３は、上述のフォトダイオード５２からの電気信号に基づいて、伝送路ファイバ３を通じて中継される光信号に監視信号として重畳されているＳＶ信号を検出するものであり、前述の図３に示すバンドパスフィルタ４１４１，増幅・波形整形処理回路４１４２，デコード部４１４３およびコマンド判定部４１４５と同様の機能をそなえて構成されている。
【００９６】
また、入力断検出部５４は、フォトダイオード５２からの電気信号に基づいて、伝送路ファイバ３を通じて伝送されてきた光信号の入力レベルをモニタするとともに、光信号が入力されているか否かを判定するもので、判定結果をＳＶ信号発生器５５に通知するようになっている。特に、入力断検出部５４は、伝送路ファイバ３からの光信号が伝搬していない状態を検出し、これを入力断検出信号としてＳＶ信号発生器５５に出力するようになっている。
【００９７】
ＳＶ信号発生器５５は、ＳＶ信号検出器５３にて検出されたＳＶ信号と、入力断検出部５４からの入力断検出信号とを入力されて、伝送路ファイバ３からの光信号が伝搬していない場合において、後段の中継装置または端局に対して、ＳＶ信号検出器５３で検出されたＳＶ信号を中継伝送するためのＳＶ信号を生成するものである。
【００９８】
具体的には、ＳＶ信号発生器５５においては、伝送路ファイバ３を通じた光信号が入力されている場合には、ＳＶ信号検出器５３で検出されたＳＶ信号や光信号の中継段数等を加味してＳＶ信号を生成する一方、伝送路ファイバ３を通じた光信号が断状態である場合には、当該断状態を後段の中継装置または端局に対して通知するためのＳＶ信号を生成するようになっている。
【００９９】
また、励起光発生部５６は、伝送路ファイバ３を通じて中継伝送される光信号について、前方励起でラマン増幅するための励起光を生成するとともに、ＳＶ信号発生器５５で発生されたＳＶ信号を、上述の前方励起用の光に重畳するものである。レーザダイオードおよびレーザダイオードを駆動するＬＤ駆動回路（図２に示す符号４１６−１，４１６−２および符号４１５参照）をそなえて構成されている。即ち、このＬＤ駆動回路からの駆動電流により、ＳＶ信号が重畳された励起光を発生することができるようになっている。
【０１００】
光スイッチ５７は、ＳＶ信号発生器５５からの光入力断検出情報に基づき、励起光発生部５６からのＳＶ信号が重畳された励起光を切り替えて出力するものである。
具体的には、光スイッチ５７は、ＳＶ信号発生器５５からの光入力断検出情報に基づき、伝送路ファイバ３を通じた光信号が入力されている場合には、励起光発生部５６からのＳＶ信号が重畳された励起光を前方励起用のラマン励起光として光カプラ５８に出力する一方、伝送路ファイバ３を通じた光信号が断状態である場合には、励起光発生部５６にて発生されたＳＶ信号が重畳された光を、ＥＤＦ５９に出力するようになっている。
【０１０１】
すなわち、伝送路ファイバ３を通じた光信号が断状態である場合には、励起光発生部５６からの光は、ラマン励起光としてではなくＡＳＥ光を発生させるための光としてＥＤＦ５９に入力されるようになっている。このとき、励起光発生部５６で重畳されるＳＶ信号には、当該伝送路ファイバ３を通じた光信号が断状態である旨の情報が含まれている。
【０１０２】
また、光カプラ５８は、光スイッチ５７を通じて前方励起用のラマン励起光を、伝送路ファイバ３からの光信号に供給することにより、光信号を中継増幅するようになっている。
したがって、上述の励起光発生部５６および光カプラ５８により、（伝送路ファイバ３を通じて伝送されてきた）光信号を増幅するための励起光を信号（ＳＶ信号）で変調し、この光信号にＳＶ信号を重畳して伝送路に供給する（第１の）手段として機能している。
【０１０３】
さらに、ＥＤＦ５９は、伝送路ファイバ３を通じた光信号が断状態である旨のＳＶ信号が重畳された光を光スイッチ５７から入力されて、このＳＶ信号が重畳されたＡＳＥ光を発生させるものである。光カプラ６０は、ＥＤＦ５９からのＡＳＥ光をＳＶ重畳光として、伝送路ファイバ３に供給するものであり、これにより、後段の中継装置または端局に対して、ＡＳＥ光としてのＳＶ信号を伝送することができるようになっている。
【０１０４】
したがって、上述のＥＤＦ５９および光カプラ６０は、伝送路（伝送路ファイバ３）に信号（ＳＶ信号）が重畳された光を発生し伝送路に供給する第２の手段として機能し、光スイッチ５７は、光信号が伝送路に伝搬している場合は第１の手段としての励起光発生部５６からの信号で変調された励起光を伝送路に供給し、光信号が伝送路に伝搬していない場合は第２の手段としてのＥＤＦ５９からの信号が重畳された光を伝送路に供給する手段として機能する。
【０１０５】
上述の構成により、本発明の第６実施形態においては、伝送路ファイバ３上を伝搬する光信号は、ラマン増幅中継装置５０においてラマン増幅されて中継伝送される。
このとき、ラマン増幅中継装置５０においては、光スイッチ５７により、光信号が伝送路ファイバ３上を伝搬している場合は、励起光発生部５６からのＳＶ信号が重畳された光を前方励起用のラマン励起光として、光カプラ５８を通じて伝送路ファイバ３に供給する一方、光信号が伝送路ファイバ３を伝搬していない場合はＥＤＦ５９からのＳＶ信号が重畳されたＡＳＥ光を光カプラ６０を通じて伝送路ファイバ３に供給する。
【０１０６】
すなわち、ラマン増幅中継装置５０においては、光信号が伝送路ファイバ３を伝搬していない場合においても、ＳＶ信号を後段の中継装置または端局に対して伝送することができる。
このように、本発明の第６実施形態にかかるラマン増幅中継装置５０によれば、ラマン増幅で光増幅中継を行なう際に、前段の中継区間で生じたファイバ断等により、光信号が伝送路ファイバ３を伝搬してこない場合においても、高品質な監視制御を行なうことができるほか、エルビウムドープファイバ４２，４４の特性として高い精度は不要であるため、システムを構築するためのコストの削減に寄与することができる。
【０１０７】
〔Ｇ〕その他
上述の第１，第２，第４および第５実施形態においては、エルビウムがドープされたドープファイバとしてのＥＤＦ４２，４４，４２２，４４２を適用しているが、本発明によれば、エルビウム以外の希土類元素等をドープしたドープファイバを適用することとしてもよい。
【０１０８】
さらに、本発明の実施態様としては、上述の各実施形態に限定されず、本発明の趣旨を逸脱しない範囲において、種々変形して実施することが可能である。
〔Ｈ〕付記
（付記１）  伝送路を伝搬する光信号をラマン増幅するための中継装置であって、
該第１端局からの上り回線を通じた光信号に含まれる監視制御コマンドに対する応答信号を前記ラマン増幅のためのラマン励起光に変調して、前記変調されたラマン励起光を該第２端局側の下り回線の伝送路ファイバに供給することにより、前記応答信号を該第２端局側の下り回線を通じた光信号に重畳して、該下り回線用に第１応答用信号を生成するラマン励起光生成・応答信号重畳部と、
該第２端局側の下り回線を通じた光信号が入力されていない場合における上記監視制御コマンドに対する第２応答用信号を生成する応答信号生成部と、
をそなえて構成されたことを特徴とする、中継装置。
【０１０９】
（付記２）  上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、
該コマンド応答用スイッチが、該第２端局側の下り回線を通じた光信号が入力されている場合には、該下り回線用ラマン励起光を該第２端局側の下り回線の伝送路ファイバに供給するとともに、該第２端局側の下り回線を通じた光信号が入力されていない場合には、該下り回線用ラマン励起光を該応答信号生成部に出力するように構成されるとともに、
該応答信号生成部が、該コマンド応答用スイッチからの該下り回線用ラマン励起光を受けて、該第２応答用信号として自然放出光を出力するドープファイバにより構成され、
かつ、該ドープファイバで出力された該自然放出光を該第１端局側の下り回線を通じて該第１端局へ送出するように構成されたことを特徴とする、付記１記載の中継装置。
【０１１０】
（付記３）  該ラマン励起光生成・応答信号重畳部が、該下り回線用ラマン励起光を、該第２端局側の下り回線の伝送路ファイバとともに該応答信号生成部に供給するように構成されるとともに、
該応答信号生成部が、該ラマン励起光生成・応答信号重畳部からの該下り回線用ラマン励起光を受けて、該第２応答用信号として自然放出光を出力するドープファイバにより構成され、
かつ、上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、
該コマンド応答用スイッチが、該ドープファイバからの自然放出光について、該第２端局側の下り回線を通じた光信号が入力されている場合には終端するとともに、該第２端局側の下り回線を通じた光信号が入力されていない場合には該第１端局側の下り回線を通じて該第１端局へ送出するように構成されたことを特徴とする、付記１記載の中継装置。
【０１１１】
（付記４）  該ラマン励起光生成・応答信号重畳部が、前記変調されたラマン励起光を該上り回線の伝送路ファイバに供給することにより、前記応答信号を該第１端局からの上り回線を通じた光信号にも重畳して、該上り回線用に該第１応答用信号を生成するとともに、
該応答信号生成部が、上り回線からの該第１応答用信号に相当する信号の一部を該第２応答用信号として抽出する光信号抽出カプラにより構成され、
かつ、上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、
該コマンド応答用スイッチが、該光信号抽出カプラで抽出された第２応答用信号について、該第２端局側の下り回線を通じた光信号が入力されている場合には終端するとともに、該第２端局側の下り回線を通じた光信号が入力されていない場合には該第１端局側の下り回線を通じて折り返して該第１端局へ送出するように構成されたことを特徴とする、付記１記載の中継装置。
【０１１２】
（付記５）  該ラマン励起光生成・応答信号重畳部が、該応答信号を該上り回線の伝送路ファイバに供給する上り回線用ラマン励起光により、該第１端局からの上り回線を通じた光信号にも重畳することにより、該第１応答用信号に相当する信号を生成するとともに、
該応答信号生成部が、該第１応答用信号に相当する信号が重畳された上り回線からの光信号の一部を抽出する光信号抽出カプラと、該光信号抽出カプラで抽出された光信号を該下り回線用ラマン励起光により増幅し、該第２応答用信号として出力するドープファイバとにより構成され、
上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、
該コマンド応答用スイッチが、該第２端局側の下り回線を通じた光信号が入力されている場合には、該下り回線用ラマン励起光を該下り回線の伝送路ファイバに供給するとともに、該第２端局側の下り回線を通じた光信号が入力されていない場合には、該下り回線用ラマン励起光を該ドープファイバに出力するように構成されるとともに、
かつ、該ドープファイバで増幅された第２応答用信号を該第１端局側の下り回線を通じて該第１端局へ折り返して送出するように構成されたことを特徴とする、付記１記載の中継装置。
【０１１３】
（付記６）  該ラマン励起光生成・応答信号重畳部が、該応答信号を該上り回線の伝送路ファイバに供給する上り回線用ラマン励起光により、該第１端局からの上り回線を通じた光信号にも重畳することにより、該第１応答用信号に相当する信号を生成するとともに、該下り回線用ラマン励起光を、該下り回線の伝送路ファイバとともに該応答信号生成部に供給するように構成されるとともに、
該応答信号生成部が、該第１応答用信号に相当する信号が重畳された上り回線からの光信号の一部を抽出する光信号抽出カプラと、該光信号抽出カプラで抽出された光信号を該下り回線用ラマン励起光により増幅し第２応答用信号として出力するドープファイバとにより構成され、
かつ、上記監視制御コマンドに対する、該第１端局側の下り回線を通じた応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替えるコマンド応答用スイッチを有し、
該コマンド応答用スイッチが、該ドープファイバで増幅された第２応答用信号について、該第２端局側の下り回線を通じた光信号が入力されている場合には終端するとともに、該第２端局側の下り回線を通じた光信号が入力されていない場合には該第１端局側の下り回線を通じて該第１端局へ送出するように構成されたことを特徴とする、付記１記載の中継装置。
【０１１４】
（付記７）  上記のドープファイバは、希土類ドープファイバであることを特徴とする、付記２，３，５，６のいずれか１項記載の中継装置。
（付記８）  ラマン励起光生成・応答信号重畳部が、該第２端局側の下り回線を通じた光信号のパワーに基づいて、該第２端局側の下り回線を通じた光信号が入力されているか否かの情報を、該コマンド応答用スイッチに供給するように構成されたことを特徴とする、付記１〜７のいずれか１項記載の中継装置。
【０１１５】
（付記９）伝送路を伝搬する光信号をラマン増幅するための中継装置において、
該光信号を増幅するための励起光を信号で変調し該光信号に該信号を重畳し該伝送路に供給する第１の手段と、
該伝送路に該信号が重畳された光を発生し該伝送路に供給する第２の手段とを設けたことを
特徴とする、中継装置。
【０１１６】
（付記１０）  該光信号が伝送路に伝搬している場合は該第１の手段からの該信号で変調された励起光を該伝送路に供給し、該光信号が伝送路に伝搬していない場合は該第２の手段からの該信号が重畳された光を該伝送路に供給する手段を有することを特徴とする、付記９記載の中継装置。
（付記１１）  第１端局および第２端局間を伝送路ファイバを通じて接続する一方、該伝送路ファイバを伝搬する光信号を一つまたは複数のラマン増幅中継装置でラマン増幅して中継するラマン増幅中継システムであって、
該第１端局および第２端局がそれぞれ、
上記一つまたは複数のラマン増幅中継装置におけるいずれかの中継装置に対する監視制御コマンドを該ラマン増幅中継装置の識別情報とともに送信する監視制御コマンド送信部と、
上記監視制御コマンドに対する応答を、上記一つまたは複数のラマン増幅中継装置から受けて該監視制御を行なう監視制御実行部とをそなえるとともに、
該一つまたは複数のラマン増幅中継装置が、
該第１端局又は第２端局の監視制御コマンド送信部からの光信号に含まれる監視制御コマンドに対する応答信号を前記ラマン増幅のためのラマン励起光に変調して、前記変調されたラマン励起光を該第１端局側および第２端局側における双方向の回線の伝送路ファイバに供給することにより、前記応答信号を上記双方向の回線を通じた光信号に重畳して、第１応答用信号を生成するラマン励起光生成・応答信号重畳部と、
該第２端局側の下り回線を通じた光信号が入力されていない場合における上記監視制御コマンドに対する該第１端局宛ての第２応答用信号を生成する第１端局宛応答信号生成部と、
上記監視制御コマンドに対する、該第１端局側の下り回線を通じた第１端局宛応答信号として、該第２端局側の下り回線を通じた光信号が入力されている場合には上記第１応答用信号を、該第２端局側の下り回線を通じた光信号が入力されていない場合には上記第２応答用信号を、それぞれ用いるように切り替える第１端局宛コマンド応答用スイッチと、
該第１端局側の上り回線を通じた光信号が入力されていない場合における上記監視制御コマンドに対する該第２端局宛ての第３応答用信号を生成する第２端局宛応答信号生成部と、
上記監視制御コマンドに対する、該第２端局側の上り回線を通じた第２端局宛応答信号として、該第１端局側の上り回線を通じた光信号が入力されている場合には上記第１応答用信号を、該第１端局側の上り回線を通じた光信号が入力されていない場合には上記第３応答用信号を、それぞれ用いるように切り替える第２端局宛コマンド応答用スイッチと、
をそなえて構成されたことを特徴とする、ラマン増幅中継システム。
【０１１７】
【発明の効果】
以上詳述したように、本発明によれば、ラマン増幅中継装置のラマン励起光生成・応答信号重畳部，応答信号生成部およびコマンド応答用スイッチにより、ラマン増幅で光増幅中継を行なう際に、光ファイバケーブルに切断／破断障害が発生した場合でも、高品質な監視制御を行なうことができる利点がある。
【図面の簡単な説明】
【図１】本発明の各実施形態にかかるラマン増幅中継システムを示すブロック図である。
【図２】本発明の第１実施形態にかかるラマン増幅中継装置を示すブロック図である。
【図３】本発明の第１実施形態にかかるラマン増幅中継装置の要部を示すブロック図である。
【図４】本発明の第１実施形態にかかるラマン増幅中継装置の作用効果を説明するためのラマン増幅中継装置を示すブロック図である。
【図５】本発明の第２実施形態にかかるラマン増幅中継装置を示すブロック図である。
【図６】本発明の第３実施形態にかかるラマン増幅中継装置を示すブロック図である。
【図７】本発明の第４実施形態にかかるラマン増幅中継装置を示すブロック図である。
【図８】本発明の第５実施形態にかかるラマン増幅中継装置を示すブロック図である。
【図９】本発明の第６実施形態にかかるラマン増幅中継装置を示すブロック図である。
【符号の説明】
１  ラマン増幅中継システム
２−１  第１端局
２−２  第２端局
３，３ａ，３ｂ  光ファイバ
４−１〜４−ｎ，４Ａ〜４Ｄ，４Ａ―１〜４Ａ―ｎ，４Ｂ−１〜４Ｂ−ｎ，４Ｃ―１〜４Ｃ―ｎ，４Ｄ−１〜４Ｄ−ｎ，４′−１〜４′−ｎ  ラマン増幅中継装置
５ａ  上り回線
５ｂ  下り回線
２１  監視制御コマンド送信部
２２  監視制御実行部
４１，４１Ａ，４１′  ラマン励起光生成・応答信号重畳部
４２  ＥＤＦＡ（第１端局宛応答信号生成部）
４２Ｂ  カプラ（第１端局宛応答信号生成部）
４３，４３Ａ〜４３Ｄ  光スイッチ（第１端局宛コマンド応答用スイッチ）
４４  ＥＤＦＡ（第２端局宛応答信号生成部）
４４Ｂ  カプラ（第２端局宛応答信号生成部）
４５，４５Ａ〜４５Ｄ  光スイッチ（第２端局宛コマンド応答用スイッチ）
４６ａ，４６ｂ  カプラ
５０  ラマン増幅中継装置
５１  光カプラ
５２  フォトダイオード
５３  ＳＶ信号検出器
５４  入力断検出器
５５  ＳＶ信号発生器
５６  励起光発生部
５７  光スイッチ
５８  光カプラ
５９  エルビウムドープファイバ
６０  光カプラ
４１１ａ，４１１ｂ  光サーキュレータ
４１２ａ，４１２ｂ  カプラ
４１３ａ，４１３ｂ  フォトダイオード
４１４  光パワーモニタ／ＳＶ信号処理回路
４１４ａ  コマンド抽出回路
４１４ｂ  コマンド処理部
４１５  ＬＤ駆動回路
４１６−１，４１６−２  レーザダイオード
４１７，４１８ａ，４１８ｂ  カプラ
４２１，４４１  カプラ
４２２，４２２  ＥＤＦＡ
４１４１  バンドパスフィルタ
４１４２  増幅・波形整形処理回路
４１４３  デコード部
４１４４  監視情報収集部
４１４５  コマンド判定部
４１４６  応答信号作成部
４１４７  光入力断検出部
【図１】
2004228761.tif 000003
【図２】
2004228761.tif 000004
【図３】
2004228761.tif 000005
【図４】
2004228761.tif 000006
【図５】
2004228761.tif 000007
【図６】
2004228761.tif 000008
【図７】
2004228761.tif 000009
【図８】
2004228761.tif 000010
【図９】
2004228761.tif 000011